(57)【要約】【課題】ノック衝撃を緩和し、チップ先端からのボール落ちや、インキの逆流現象を抑制し、チップ先端が筆圧によって微少に前後に移動せず筆記し易いノック式ボールペンを簡単な構造で提供する。【解決手段】内部にボールペン用インキを直に収納したインキ収容筒の先端に、ボールを回転自在に抱持したボールペンチップを直接またはチップホルダーを介して装着してなるボールペンレフィルを軸筒内に、前記軸筒内に配設したコイルスプリングにより軸筒後端方向に付勢して摺動自在に配設し、ノック体を押圧することにより、前記ボールペンレフィルを軸筒先端開口部より出没可能なノック機構を具備してなるノック式ボールペンにおいて、前記インキ収容筒の後端部に第１の磁石を、軸方向に沿って磁極が対極するように配設し、前記チップ先端部が没入時の前記第１の磁石に対応する軸筒内の位置に、前記第１の磁石と反発するように第２の磁石を配設する。【選択図】      図１
2005131892.tif 000002
【特許請求の範囲】
【請求項１】
軸筒内に、内部にボールペン用インキを直に収納したインキ収容筒の先端にボールを回転自在に抱持したボールペンチップを直接またはチップホルダーを介して装着してなるボールペンレフィルを、前記軸筒内に配設したコイルスプリングにより軸筒後端方向に付勢して摺動自在に配設し、ノック体を押圧することにより、前記ボールペンレフィルを軸筒先端開口部より出没可能なノック機構を具備してなるノック式ボールペンにおいて、前記インキ収容筒の後端部に第１の磁石を、軸方向に沿って磁極が対極するように配設し、前記チップ先端部が没入時の前記第１の磁石に対応する軸筒内の位置に、前記第１の磁石と反発するように第２の磁石を配設したことを特徴とするノック式ボールペン。
【請求項２】
前記第１の磁石と第２の磁石が、ボールペンチップの先端部が突出時におけるコイルスプリングのボールペンレフィルの付勢力より小さいことを特徴とする請求項１に記載のノック式ボールペン。
【発明の詳細な説明】
【技術分野】
【０００１】
本発明は、ノック体を押圧することにより、ボールペンレフィルを軸筒先端開口部より出没可能なノック式ボールペンに関する。
【背景技術】
【０００２】
従来から、ノック体を押圧することにより、ボールペンレフィルを軸筒先端開口部より出没可能なノック式ボールペンはよく知られている。また、インキ収容筒内にインキを直詰めにしてなるボールペンレフィルを用いたノック式ボールペンもよく知られている。
【０００３】
こうしたインキ収容筒内にインキを直詰めにしてなるノック式ボールペンにおいて、ノック衝撃等によるインキ収容筒内のインキの流動により、チップ先端からのボール落ちが発生したり、インキの逆流現象が発生する恐れがあるため、特許３１９７４４４号公報「ノック式筆記具」では、ボールペンレフィルの後端部に弾性体を配設したり、特許２８６５５８１号「ボールペンのリフィール」では、リフィールの後端に衝撃吸収のための弾性体を設けることで、ノック衝撃を緩和している。このノック衝撃は、ノック作動により、ボールペンチップが軸筒先端から軸筒内に没入する時に、待機位置で急激に停止する慣性力によって発生する衝撃のことである。
【０００４】
同様に、本願出願人も特許３４３９６６５号「ノック式ボールペン」や特許３４３９６６６号「ノック式ボールペン」にてチップ内やチップホルダー等に流量を制御する部分を形成することで、ノック衝撃によるインキの流動を抑制し、チップ先端からのボール落ちや、インキの逆流現象を防止することを開示している。
【特許文献１】「特許３１９７４４４号公報」
【特許文献２】「特許２８６５５８１号公報」
【特許文献３】「特許３４３９６６５号公報」
【発明の開示】
【発明が解決しようとする課題】
【０００５】
確かに、弾性体を配設することによりノック衝撃等の衝撃を緩衝する作用は得られるが、筆記時に筆圧が加わると、ボールペンレフィルによって弾性体を押圧し、弾性体が弾性変形することでボールペンレフィルが後方に移動し、結果としてチップ先端が筆圧によって微少に前後に移動するため、筆記し難いという問題ある。
【課題を解決するための手段】
【０００６】
本発明は、軸筒内に、内部にボールペン用インキを直に収納したインキ収容筒の先端にボールを回転自在に抱持したボールペンチップを直接またはチップホルダーを介して装着してなるボールペンレフィルを、前記軸筒内に配設したコイルスプリングにより軸筒後端方向に付勢して摺動自在に配設し、ノック体を押圧することにより、前記ボールペンレフィルを軸筒先端開口部より出没可能なノック機構を具備してなるノック式ボールペンにおいて、前記インキ収容筒の後端部に第１の磁石を、軸方向に沿って磁極が対極するように配設し、前記チップ先端部が没入時の前記第１の磁石に対応する軸筒内の位置に、前記第１の磁石と反発するように第２の磁石を配設する。
【０００７】
また、前記第１の磁石と第２の磁石が、ボールペンチップの先端部が突出時におけるコイルスプリングのボールペンレフィルの付勢力より小さいことを特徴とする。
【０００８】
本発明の磁石の材料は、ネオジウム（Ｎｄ）系、サマリウム（Ｓｍ）系、セリウム（Ｃｅ）系、フェライト（Ｓｒ、Ｂａ）系等、限定されることなく、保磁力等を考慮し、適宜選択して使用することができる。
【発明の効果】
【０００９】
本発明のノック式ボールペンは、ノック衝撃を緩和し、チップ先端からのボール落ちや、インキの逆流現象を抑制し、チップ先端が筆圧によって微少に前後に移動せず筆記し易いノック式ボールペンを簡単な構造で提供できる。
【発明を実施するための最良の形態】
【００１０】
ノック式ボールペンにおいて、ノック衝撃を緩和し、筆記し易いという目的を、簡単な構造で、組立性を損なわずに実現した。
【実施例１】
【００１１】
図１から図４に示すノック式ボールペン１は、前軸２と後軸３を螺合し、後軸３に頭冠１４を装着した軸筒内にボールペンレフィル５がコイルスプリング４によって頭冠後端１４ａ方向に付勢された状態で収納されている。
【００１２】
ボールペンレフィル５の構造は、従来から知られているもので、インキ収容管６内にボールぺン用インキ（図示せず）及びボールぺン用インキの後端面に密接してインキの消費に追従するインキ追従体（図示せず）を直に収容し、インキ収容管６の先端部にはチップホルダー７を介して、ボールを回転自在に抱持し、先端縁の内壁をボールと同形の球面状に形成したボールペンチップ８を装着し、インキ収容管６の後端部には内外を連通する通気孔９ａを有する尾栓９を装着してある。この尾栓９には、第１の磁石１０を固着してある。また、頭冠１４にはクリップ部材１５を一体に形成してある。
【００１３】
ボールペンチップ８の先端部を前軸２の先端開口部２ａから出没させる機構は、従来から知られているもので、簡単に説明すると、頭冠１４の内壁面に回転カム１１を前後に摺動案内し回転させるためのカム溝（図示せず）を形成し、このカム溝に、回転カム１１に形成した突起を係合して配設してある。回転カム１１の後端には、前記回転カム１１を摺動し回転を付与するためのカム部を先端に有したノック体１２を、ノック体１２の後端部が頭冠後端１４ａより外方に突出した状態に配設した構造である。
【００１４】
ボールペンレフィル５の尾栓９に固着した第１の磁石１０は、軸心に沿って磁極の１０ａ（Ｓ極）と、１０ｂ（Ｎ極）が対極するように配設する。また、ボールペンチップ８が没入時に、ボールペンレフィル５の尾栓９に固着した第１の磁石１０に対応する後軸３内の位置に、ボールペンレフィル５の尾栓９に固着した第１の磁石１０の頭冠後端１４ａ側の磁極１０ｂと、異なる磁極が対面して反発するように、前軸２側に１３ｂ（Ｎ極）、後軸後端３ａ側に１３ａ（Ｓ極）として第２の磁石１３を配設してある。
【００１５】
第１の磁石１０と第２の磁石１３を反発する状態に配設することで、ボールペンチップ８の先端部が突出した状態から没入する時（図２から図１に戻る時）、第１の磁石１０と第２の磁石１３が近づくにつれ、第１の磁石１０と第２の磁石１３との反発力が除々発生し、ボールペンレフィル５に前軸２の開口部２ａ方向への力が加わることになる。前述したように、ノック衝撃は、ノック作動により、ボールペンチップが軸筒先端から軸筒内に没入する時に、待機位置で急激に停止する慣性力によって発生する衝撃のことである。そのため、没入持に、ボールペンレフィル５に前軸２の開口部２ａ方向への力を加えることによってノック衝撃を緩和することができる。
【００１６】
また、コイルスプリング４によるボールペンレフィル５の付勢力が、第１の磁石１０と第２の磁石１３の反発力より小さいと、ボールペンレフィル５と回転カム１１に間隙ができてしまうので、コイルスプリング４の付勢力と、第１の磁石１０と第２の磁石１３の反発力を考慮し、少なくともボールペンチップ８の先端部が突出時におけるコイルスプリング４によるボールペンレフィル５の付勢力を、第１の磁石１０と第２の磁石１３の反発力より大きくする。
【００１７】
本実施の形態では、便宜上、回転カムからノック機構を用いたが、図示はしていないが、ノック体で直接、ボールペンレフィル押圧するタイプのノック機構等、何れのノック機構を用いてもよい。
【００１８】
また、磁石の配設方法は特に限定されないが、磁石が容易に取り外しできないように嵌合或いは接着等により、予め対応する各部品に固設してあればよい。また、磁石の配設位置も特に限定されるものでなく、チップ先端部が没入時の第１の磁石に対応する位置であれば、後軸、頭冠、ノック機構部等に配設することができる。
【産業上の利用可能性】
【００１９】
低粘度油性インキ、剪断減粘性インキ、水性インキ等、インキの種類に限定されることなく、またノック機構に限定されることなく適用できる。そのため、従来の組立方法と同様に組立が可能である。
【図面の簡単な説明】
【００２０】
【図１】実施例１のノック式ボールペンを示す一部省略した要部縦断面図である。
【図２】図１におけるボールペンチップを突出させた状態を示す図である。
【図３】図１における要部拡大図である。
【図４】図２における要部拡大図である。
【符号の説明】
【００２１】
１  ノック式ボールペン
２  前軸
３  後軸
４  コイルスプリング
５  ボールペンレフィル
６  インキ収容管
７  チップホルダー
８  ボールペンチップ
９  尾栓
１０  第１の磁石
１０ａ  Ｓ極
１０ｂ  Ｎ極
１１  回転カム
１２  ノック体
１３  第２の磁石
１３ａ  Ｓ極
１３ｂ  Ｎ極
１４  頭冠
【図１】
2005131892.tif 000003
【図２】
2005131892.tif 000004
【図３】
2005131892.tif 000005
【図４】
2005131892.tif 000006